(57)【要約】【課題】  従来はディスクに初めて記録する場合は、用意された複数のデフォルトストラテジで試し書きを繰り返してライトストラテジを決定するので、処理時間が長く、ＯＰＣ領域も多く使用するという課題がある。【解決手段】  光ディスク装置に装填された光ディスクに対して、最初のデータ記録開始前に、光ディスク装置内のメモリに登録されているストラテジデータを使用してＯＰＣを実行して適正記録パワーを求め、また、光ディスクに記録されている標準ストラテジデータを使用してＯＰＣを実行して適正記録パワーを求め、それぞれの適正記録パワーよりもα％低いパワーで試し書きして再生ジッタを検出する（Ｓ１１〜Ｓ１４）。２つの検出再生ジッタ値を比較し、特性が良好な方のストラテジを採用する（Ｓ１５〜Ｓ１６）。光ディスクの試し書き領域に対して少ない記録再生回数で短時間でストラテジを採用できる。【選択図】        図４
2006338724.tif 000002
【特許請求の範囲】
【請求項１】
光ディスクのデータ領域へのユーザーデータ記録開始前に、前記光ディスクの試し書き領域に前記レーザ光の記録パワーを順次変化させながら試し書き信号をライトストラテジに従って補正記録した後再生し、その再生信号に基づいて最適な記録パワーを決定した後、最適な記録パワーで前記試し書き領域に試し書き信号の記録再生を行い、再生信号のジッタに基づいて最適なストラテジデータを決定するストラテジ学習処理を行う光ディスク装置であって、
複数の光ディスクにそれぞれ対応した登録光ディスク用のストラテジデータ及び未登録の光ディスク用のデフォルトストラテジデータを予め記憶している記憶手段と、
装填された前記光ディスクに対応して前記記憶手段から前記登録光ディスク用ストラテジデータ又は前記デフォルトストラテジデータを取得し、その取得したストラテジデータに基づいて前記記録パワー制御を行って第１の適正記録パワーを決定する第１の記録パワー決定手段と、
前記光ディスクに予め記録されている標準ストラテジデータを取得し、その標準ストラテジデータに基づいて前記記録パワー制御を行って第２の適正記録パワーを決定する第２の記録パワー決定手段と、
前記第１の適正記録パワーより所定のレベル低い記録パワーで前記試し書き信号を前記試し書き領域に記録した後再生して、再生試し書き信号の再生ジッタ検出値又はエッジシフト量を示す第１の再生情報を取得する第１の再生情報取得手段と、
前記第２の適正記録パワーより所定のレベル低い記録パワーで前記試し書き信号を前記試し書き領域に記録した後再生して、再生試し書き信号の再生ジッタ検出値又はエッジシフト量を示す第２の再生情報を取得する第２の再生情報取得手段と、
前記第１及び第２の再生情報取得手段により取得した前記第１及び第２の再生情報を比較して、特性が良好な方の情報に対応した一つのストラテジを選択する比較及び選択手段と、
前記比較及び選択手段により選択された一つのストラテジを前記光ディスクの所定の領域に記録管理情報として記録する記録管理情報記録手段と
を有することを特徴とする光ディスク装置。
【請求項２】
光ディスクのデータ領域へのユーザーデータ記録開始前に、前記光ディスクの試し書き領域に前記レーザ光の記録パワーを順次変化させながら試し書き信号をライトストラテジに従って補正記録した後再生し、その再生信号に基づいて最適な記録パワーを決定した後、最適な記録パワーで前記試し書き領域に試し書き信号の記録再生を行い、再生信号のジッタに基づいて最適なストラテジデータを決定するストラテジ学習処理を行う光ディスク装置であって、
複数の光ディスクにそれぞれ対応した登録光ディスク用のストラテジデータ及び未登録の光ディスク用のデフォルトストラテジデータを予め記憶している記憶手段と、
装填された前記光ディスクに対応して前記記憶手段から前記登録光ディスク用ストラテジデータ又は前記デフォルトストラテジデータを取得し、その取得したストラテジデータに基づいて前記記録パワー制御を行って第１の適正記録パワーを決定する第１の記録パワー決定手段と、
前記光ディスクに予め記録されている標準ストラテジデータを取得し、その標準ストラテジデータに基づいて前記記録パワー制御を行って第２の適正記録パワーを決定する第２の記録パワー決定手段と、
前記第１の適正記録パワーで前記試し書き信号を前記試し書き領域に記録した後再生して、再生試し書き信号の再生ジッタ検出値又はエッジシフト量を示す第１の再生情報を取得する第１の再生情報取得手段と、
前記第２の適正記録パワーで前記試し書き信号を前記試し書き領域に記録した後再生して、再生試し書き信号の再生ジッタ検出値又はエッジシフト量を示す第２の再生情報を取得する第２の再生情報取得手段と、
前記第１の適正記録パワーより所定のレベル低い記録パワーで前記試し書き信号を前記試し書き領域に記録した後再生して、再生試し書き信号の再生ジッタ検出値又はエッジシフト量を示す第３の再生情報を取得する第３の再生情報取得手段と、
前記第２の適正記録パワーより所定のレベル低い記録パワーで前記試し書き信号を前記試し書き領域に記録した後再生して、再生試し書き信号の再生ジッタ検出値又はエッジシフト量を示す第４の再生情報を取得する第４の再生情報取得手段と、
前記第１及び第２の再生情報取得手段により取得した前記第１及び第２の再生情報を比較して、予め定めた第１の閾値以上の再生情報の差があるときには特性が良好な方の情報に対応した一つのストラテジを選択し、前記第１及び第２の再生情報の差が前記第１の閾値未満の僅差であるときには、前記第３及び第４の再生情報を比較し、前記第３及び第４の再生情報の差が予め定めた第２の閾値以上であるときには、特性が良好な方の情報に対応した一つのストラテジを選択し、前記第３及び第４の再生情報の差が前記第２の閾値未満の僅差であるときには、前記第４の再生情報に対応した一つのストラテジを選択する比較及び選択手段と、
前記比較及び選択手段により選択された一つのストラテジを前記光ディスクの所定の領域に記録管理情報として記録する記録管理情報記録手段と
を有することを特徴とする光ディスク装置。
【発明の詳細な説明】
【技術分野】
【０００１】
本発明は光ディスク装置に係り、特にディジタル多用途ディスク（ＤＶＤ：Digital Versatile Disc）である光ディスクのうち、デフォルトのライトストラテジ（記録発光波形）を登録していない光ディスクに対して、適正な記録条件を求めて情報を光学的に記録し再生する光ディスク装置に関する。
【背景技術】
【０００２】
光ディスクにレーザ光を照射して所望のデータなどの情報を記録し再生する光ディスク装置が各種実現されている。例えば、ＤＶＤ−Ｒ、ＤＶＤ−ＲＷなどの記録型ＤＶＤに、記録すべきデータによって変調されたレーザ光を照射し、データを記録するＤＶＤドライブ装置と称される光ディスク装置がある。
【０００３】
この種の光ディスク装置では、レーザ光によりデータ記録を光ディスクに行う場合には、記録の良否が光ディスクの物理的特性、光学的特性あるいは記録を行うために用いる光ピックアップやレーザ光の波長等に依存するため、レーザ光の記録パワーや消去パワーが適切な値に設定されていなければならない。このため、通常、光ディスク装置では、ＯＰＣ（Optimum Power Control）と呼ばれる最適記録レーザパワーの判別動作が行われる。
【０００４】
このＯＰＣ動作は、光ディスク上に用意された試し書き領域（テスト領域）に対して、記録レーザパワーを所定時間毎に段階的に変化させながら、レーザ照射を行って試し書き信号の記録を行った後再生し、その試し書き部分の記録特性（例えばアシンメトリ、変調度）を検出することで、最適な記録レーザパワーを設定する目安とする。このようなＯＰＣ動作により、記録時に最適な記録レーザパワーによる記録動作が実現できる。
【０００５】
しかしながら、試し書き領域は有限であり、例えば１回のみ記録可能な光ディスクであるＤＶＤ−Ｒにおいては、用意された試し書き領域（ＯＰＣ領域）がすべて試し書き記録に用いられると、以降の試し書きはできない。また、オーバーライト可能な光ディスクであるＤＶＤ−ＲＷでも、ＯＰＣ領域を繰り返し書き換えると記録特性が変化し、データ記録領域の記録特性と差異が生じ、ＯＰＣとしての役割が失われる恐れがあるため、ＯＰＣ領域の書き換え回数に制限がある。
【０００６】
一方、記録条件として、適正な記録パワーと共に、適正なライトストラテジ（以下、記録ストラテジ、あるいは単にストラテジともいう）の設定が重要である。ここで、ライトストラテジの設定とは、記録補正の設定のことで、光ピックアップ内の対物レンズから出射されるレーザ光パルス列の各パルスの開始及び終了の時間タイミングを決定するパラメータを設定することをいう。
【０００７】
そこで、ライトストラテジの設定を行う従来の光ディスク装置として、ＤＶＤ−Ｒに記録速度情報、記録ストラテジ、記録パワー条件の履歴を記録しておき、その中から復調した記録速度情報が設定記録速度情報と一致した時、その復調記録速度情報に対応する記録ストラテジと記録パワー条件とを復調し、復調した記録ストラテジに従い記録パターンを記録パルスへ変換すると共に、復調した記録パワー条件に基づきＯＰＣを実行する装置が知られている（例えば、特許文献１参照）。
【０００８】
また、ライトストラテジの設定を行う従来の他の光ディスク装置として、設定された複数のデフォルトのライトストラテジデータの各々についてＯＰＣを実行し、最適レーザパワーと記録ピット長のばらつきを検出したジッタエラーピット検出表（エラーパルス数）又は再生データエラーレートを得て、得られたジッタ情報又はエラーレート情報を基に一つのデフォルトのライトストラテジデータを選択して、それをディスクＩＤ及び書き込み時の倍速と共に記録する光ディスク装置が知られている（例えば、特許文献２参照）。
【０００９】
【特許文献１】ＷＯ２００２／０８９１２３号公報
【特許文献２】特開２００４−２４６９５６号公報
【発明の開示】
【発明が解決しようとする課題】
【００１０】
しかるに、特許文献１記載の従来の光ディスク装置では、光ディスクに初めて記録する場合は、エッジシフトが許容範囲内に入るまで試し書きを繰り返してライトストラテジを決定するので、処理時間が長くＯＰＣ領域も多く使用する欠点がある。
【００１１】
また、特許文献２記載の従来の光ディスク装置では、ディスクに初めて記録する場合は、用意された複数のデフォルトストラテジで試し書きを繰り返してライトストラテジを決定するので、特許文献１と同様に処理時間が長く、ＯＰＣ領域も多く使用する欠点がある。また、１度記録したディスクの場合は、光ディスク装置内のメモリに保存したライトストラテジデータを設定するので、ディスクの生産ロットによる記録特性の変化に対応できない欠点がある。
【００１２】
本発明は以上の点に鑑みなされたもので、ライトストラテジデータが登録／未登録にかかわらず、短時間でＯＰＣ領域の使用量も少なく、適正なライトストラテジを迅速に求めることができる光ディスク装置を提供することを目的とする。
【課題を解決するための手段】
【００１３】
上記の目的を達成するため、第１の発明は、光ディスクのデータ領域へのユーザーデータ記録開始前に、光ディスクの試し書き領域にレーザ光の記録パワーを順次変化させながら試し書き信号をライトストラテジに従って補正記録した後再生し、その再生信号に基づいて最適な記録パワーを決定した後、最適な記録パワーで試し書き領域に試し書き信号の記録再生を行い、再生信号のジッタに基づいて最適なストラテジデータを決定するストラテジ学習処理を行う光ディスク装置であって、
複数の光ディスクにそれぞれ対応した登録光ディスク用のストラテジデータ及び未登録の光ディスク用のデフォルトストラテジデータを予め記憶している記憶手段と、装填された光ディスクに対応して記憶手段から登録光ディスク用ストラテジデータ又はデフォルトストラテジデータを取得し、その取得したストラテジデータに基づいて記録パワー制御を行って第１の適正記録パワーを決定する第１の記録パワー決定手段と、光ディスクに予め記録されている標準ストラテジデータを取得し、その標準ストラテジデータに基づいて記録パワー制御を行って第２の適正記録パワーを決定する第２の記録パワー決定手段と、第１の適正記録パワーより所定のレベル低い記録パワーで試し書き信号を試し書き領域に記録した後再生して、再生試し書き信号の再生ジッタ検出値又はエッジシフト量を示す第１の再生情報を取得する第１の再生情報取得手段と、第２の適正記録パワーより所定のレベル低い記録パワーで試し書き信号を試し書き領域に記録した後再生して、再生試し書き信号の再生ジッタ検出値又はエッジシフト量を示す第２の再生情報を取得する第２の再生情報取得手段と、第１及び第２の再生情報取得手段により取得した第１及び第２の再生情報を比較して、特性が良好な方の情報に対応した一つのストラテジを選択する比較及び選択手段と、比較及び選択手段により選択された一つのストラテジを光ディスクの所定の領域に記録管理情報として記録する記録管理情報記録手段とを有することを特徴とする。
【００１４】
この発明では、ストラテジ学習処理において、装填された光ディスクに対応して記憶手段から取得した登録光ディスク用ストラテジデータ又はデフォルトストラテジデータに基づいて記録パワー制御を行って決定した第１の適正記録パワーよりも所定のレベル低い記録パワーで試し書き信号を試し書き領域に記録した後再生して得た、再生試し書き信号の再生ジッタ検出値又はエッジシフト量を示す第１の再生情報と、装填された光ディスクに予め記録されている標準ストラテジデータに基づいて記録パワー制御を行って決定した第２の適正記録パワーよりも低い記録パワーで試し書き信号を試し書き領域に記録した後再生して得た、再生試し書き信号の再生ジッタ検出値又はエッジシフト量を示す第２の再生情報とを比較し、その比較結果に基づいて特性が良好な方の情報に対応した一つのストラテジを選択するようにしたため、最低限の回数の記録パワー制御と試し書きによる再生ジッタ検出又はエッジシフト量検出によりストラテジを選択することができる。また、この発明では、選択したストラテジを光ディスク装置内ではなく、光ディスクの所定領域に記録する。
【００１５】
また、上記の目的を達成するため、第２の発明は、上記の第１の発明と同様の、記憶手段、第１の記録パワー決定手段、第２の記録パワー決定手段に加えて、第１の適正記録パワーで試し書き信号を試し書き領域に記録した後再生して、再生試し書き信号の再生ジッタ検出値又はエッジシフト量を示す第１の再生情報を取得する第１の再生情報取得手段と、第２の適正記録パワーで試し書き信号を試し書き領域に記録した後再生して、再生試し書き信号の再生ジッタ検出値又はエッジシフト量を示す第２の再生情報を取得する第２の再生情報取得手段と、第１の適正記録パワーより所定のレベル低い記録パワーで試し書き信号を試し書き領域に記録した後再生して、再生試し書き信号の再生ジッタ検出値又はエッジシフト量を示す第３の再生情報を取得する第３の再生情報取得手段と、第２の適正記録パワーより所定のレベル低い記録パワーで試し書き信号を試し書き領域に記録した後再生して、再生試し書き信号の再生ジッタ検出値又はエッジシフト量を示す第４の再生情報を取得する第４の再生情報取得手段と、第１及び第２の再生情報取得手段により取得した第１及び第２の再生情報を比較して、予め定めた第１の閾値以上の再生情報の差があるときには特性が良好な方の情報に対応した一つのストラテジを選択し、第１及び第２の再生情報の差が第１の閾値未満の僅差であるときには、第３及び第４の再生情報を比較し、第３及び第４の再生情報の差が予め定めた第２の閾値以上であるときには、特性が良好な方の情報に対応した一つのストラテジを選択し、第３及び第４の再生情報の差が第２の閾値未満の僅差であるときには、第４の再生情報に対応した一つのストラテジを選択する比較及び選択手段と、比較及び選択手段により選択された一つのストラテジを光ディスクの所定の領域に記録管理情報として記録する記録管理情報記録手段とを有することを特徴とする。
【００１６】
この発明では、ストラテジ学習処理において、装填された光ディスクに対応して記憶手段から取得した登録光ディスク用ストラテジデータ又はデフォルトストラテジデータに基づいて記録パワー制御を行って決定した第１の適正記録パワーで試し書き信号を試し書き領域に記録した後再生して得た、再生試し書き信号の再生ジッタ検出値又はエッジシフト量を示す第１の再生情報と、装填された光ディスクに予め記録されている標準ストラテジデータに基づいて記録パワー制御を行って決定した第２の適正記録パワーで試し書き信号を試し書き領域に記録した後再生して得た、再生試し書き信号の再生ジッタ検出値又はエッジシフト量を示す第２の再生情報とを比較し、その比較結果に基づいて特性が良好な方の情報に対応した一つのストラテジを選択し、第１及び第２の再生情報の差が所定の第１の閾値未満の僅差のときには、第１、第２の適正記録パワーよりもそれぞれ所定のレベル低い第３、第４の記録パワーで試し書き信号の記録再生をして得た再生ジッタ検出値又はエッジシフト量を示す第３、第４の再生情報を比較し、その比較結果に基づいて特性が良好な方の情報に対応した一つのストラテジを選択するようにしたため、少ない回数の記録パワー制御と試し書きによる再生ジッタ検出又はエッジシフト量検出によりストラテジを選択することができる。
【００１７】
また、第３及び第４の再生情報の差も所定の第２の閾値未満の僅差のときには、標準ストラテジデータに基づく第２の適正記録パワーよりも所定のレベル低い第４の記録パワーで試し書き信号の記録再生をして得た再生ジッタ検出値又はエッジシフト量を示す第４の再生情報に対応した一つのストラテジを選択するようにしたため、比較する２つの再生情報の差が僅差のときにはより確からしいストラテジを選択することができる。また、この発明では、選択したストラテジを光ディスク装置内ではなく、光ディスクの所定領域に記録する。
【発明の効果】
【００１８】
本発明によれば、従来よりも少ない回数の記録パワー制御と試し書きによる再生ジッタ検出又はエッジシフト量検出によりストラテジを選択するようにしたため、従来に比べて短時間でストラテジを選択することができ、また、１回の最適記録パワー決定のためのＯＰＣ実行の際に用いる光ディスクの試し書き領域の使用量は従来より少ないので、従来に比べてテスト領域の使用回数を増大でき、よって光ディスクの寿命の長寿命化も実現できる。
【００１９】
また、本発明によれば、光ディスクの所定領域に最終的に決定したストラテジを保存するようにしたため、光ディスクの生産ロットによる記録特性の変化に対応した、光ディスク個々の特性に合わせた最適なストラテジでの記録が可能である。
【００２０】
更に、本発明によれば、光ディスク装置内にライトストラテジデータが登録されていない光ディスクに対しては、一つのデフォルトデータと光ディスク記載の標準ストラテジを評価して、適正な書き込み条件を迅速に得ることができる。
【００２１】
また更に、本発明によれば、比較する２つの再生情報の差が僅差のときには、より確からしいストラテジを選択することができるため、ストラテジ学習の精度を従来よりも向上できる。
【発明を実施するための最良の形態】
【００２２】
次に、本発明の実施の形態について図面と共に説明する。図１は本発明になる光ディスク装置の一実施の形態のブロック図を示す。本実施の形態の光ディスク装置に装着される光ディスク１０としては、例えば、ＤＶＤ−Ｒ、ＤＶＤ−ＲＷなどの記録型ディスクが考えられる。ただし、他の種類の光ディスクに対応した記録装置でも本発明は適用できるものである。
【００２３】
レーザ変調回路／パワー制御回路１９で所定の発光パワーに制御された光ピックアップ１１内のレーザダイオードから出射するレーザ光は、光ピックアップ１１内の対物レンズから光ディスク１０へ出射される。また、光ディスク１０は図示しないスピンドルモータにより回転され、その回転は光ピックアップ１１から光ディスク１０に照射される上記レーザ光により光ディスク１０上に形成される光スポットとの相対速度が一定となるように、サーボ回路２０により制御される。
【００２４】
光ピックアップ１１の全体の位置はスレッド機構２１で制御され、光ピックアップ１１内の対物レンズの位置はサーボ回路２０で制御されて、レーザ光は光ディスク１０の所定のトラックに集光される。光ディスク１０に照射されたレーザ光は、光ディスク１０で反射され、その反射光が光ピックアップ１１内の対物レンズを逆進して光ピックアップ１１内の複数の分割受光素子からなる公知の構成の光受光部により光電変換され、各分割受光素子の受光信号を公知の方法で演算することにより、光ディスク１０の記録済みのデータであるＲＦ信号と、アドレス信号と、光ピックアップ１１の制御用のフォーカスエラー信号及びトラッキングエラー信号からなるサーボ誤差信号とがそれぞれ得られる。
【００２５】
光ディスク１０がＤＶＤ−ＲやＤＶＤ−ＲＷの場合には、光ディスク１０は内面に螺旋状に形成された断面凸状又は凹状のグルーブにユーザーデータがＲＦ信号の形態とされて記録マークの断続として記録されており、また、グルーブとグルーブとの間のランドには、所定周期でアドレス情報やディスクＩＤ及び記録速度に対応するライトストラテジデータを含むランドプリピットが予め記録されている。良く知られているように、光ディスク１０上に照射されて集束する光ビームスポットは、１本のグルーブトラックとその両側のランドの一部にも同時に照射されるので、上記のランドプリピットからアドレス信号等が再生される。また、上記のグルーブの側壁（これはランドの側壁でもある）は、一定周波数又は所定の情報で微小に蛇行形成されている。
【００２６】
再生信号は再生信号検出回路１３に入力されてＲＦ信号が検出され、アドレス情報を含むＲＦ信号及び上記の微小な蛇行を再生したウォブル信号とランドプリピット信号はアドレス信号検出回路１２に入力され、サーボ誤差信号はサーボ用信号検出回路１４に入力される。アドレス信号検出回路１２では、ウォブル信号とランドプリピット信号や、ＲＦ信号からディスクＩＤも読み取る。サーボ回路２０はサーボ用信号検出回路１４から得られたサーボ誤差信号を装置制御部１７からの指令に従って、光ピックアップ１１を制御し光ディスク１０の所定のグルーブトラックに追従走査させ、かつ、レーザ光を焦点一致して集光させる。
【００２７】
ジッタ検出回路１６は再生信号検出回路１３から得られたＰＬＬ回路にて生成される同期クロックでＲＦ信号の振幅レベル、あるいは位相を検出することによって、記録マーク長のエッジシフト量あるいはジッタを検出する。
【００２８】
データ記録時は、装置制御部１７からの指令によりサーボ回路２０で光ピックアップ１１を制御し、記録する光ディスク１０の所定のトラックにレーザ光を集光させる。そして、記録データは装置制御部１７からレーザ変調回路／パワー制御回路１９に送られ、光ディスク１０に記録するのに適したライトストラテジ（記録補正パルス）に変換された後、光ピックアップ１１内のレーザダイオードに供給され、レーザ発光強度を変化させてレーザダイオードから出射されるレーザ光により、光ディスク１０に記録される。
【００２９】
ここで、ユーザーデータの光ディスク１０のデータ領域への記録開始前に、ＯＰＣ検出回路１５を使用してＯＰＣが実行される。ＯＰＣ検出回路１５は記録パワーを可変しながら試し書きを行っている時と、試し書きを行った領域を再生する時の光ディスク１０からの反射光を電気信号に変換し検出する回路である。
【００３０】
例えば、光ディスク１０がＤＶＤ−Ｒの場合、このＯＰＣ検出回路１５は再生時には記録時におけるマークとスペースからの反射光を電気信号に変換し、その直流分を除いた信号のマークレベルをＡ２、スペースのレベルをＡ１とすると、次式で定義されるβ値を得る。
【００３１】
β＝（｜Ａ１｜−｜Ａ２｜）／（｜Ａ１｜＋｜Ａ２｜）
メモリ１８は、既知のライトストラテジデータをディスクＩＤ（ディスク製造メーカーコード：ＭＩＤ）と対応して記憶しており、また、ディスクＩＤが未登録のディスク用のデフォルトのライトストラテジデータを記憶している。
【００３２】
図２は図１の要部のジッタ検出方法を説明するための信号波形図であり、図２（ａ）は図１の光ピックアップ１１から出力されるＲＦ信号、図２（ｂ）は再生信号検出回路１３に含まれる二値化信号生成回路で上記ＲＦ信号から生成された二値化信号、図２（ｃ）は再生信号検出回路１３で生成されるクロック、図２（ｄ）は二値化信号とウォブルクロックの位相差信号を示す。この位相差信号は、ジッタ検出回路１６において生成され、記録されたマーク及びスペースのエッジジッタが少ない時はパルス幅が狭く、ジッタが大きい時は位相差が進み遅れの両方で増してパルス幅が広くなる。
【００３３】
ジッタ検出回路１６は、更にこの位相差信号を積分することにより、ジッタ値を得る。選択したライトストラテジで記録した箇所を再生してジッタ値を比較検出することにより、記録特性の良否を判定できることになる。なお、上記の位相差信号の位相差は、クロックと二値化信号との間のエッジシフト量を表わしている。
【００３４】
次に、図３のフローチャートを用いて、図１の実施の形態におけるディスク挿入から記録開始までの処理動作について説明する。光ディスク装置に光ディスク１０を装着すると（ステップＳ１）、光ディスク１０のリードイン領域あるいはランドプリピット（ＬＰＰ）からディスク情報を読み出し、ディスクＩＤ、ディスクの種類、メーカーコード、記録速度に応じた標準ライトストラテジなどを取得すると共に、光ディスク１０の記録管理領域から記録管理情報を読み出す（ステップＳ２）。
【００３５】
ここで、光ディスク１０には、ユーザーデータが記録再生されるデータ領域の内周側方向へ順に、上記のリードイン領域、記録管理領域（ＲＭＡ：Recording Management Area）、パワーキャリブレーション領域（ＰＣＡ：Power Calibration Area）が形成されている。リードイン領域は、データ領域にアクセスする光ピックアップ１１のオーバーランに備える緩衝領域である。なお、データ領域の外周側には緩衝領域としてリードアウト領域が形成される。
【００３６】
ＲＭＡ領域は、光ディスク１０の各領域の記録状態の変遷やＯＰＣ情報を管理するための記録管理情報が記録される領域であり、データ領域のユーザーデータと同様に、ブロック化されて誤り訂正符号化された、ＲＭＤ（Recording Management Data）ブロックを単位として記録管理情報（ＲＭＤ情報）が記録再生される。ＰＣＡ領域は、最適記録パワーを取得するためのＯＰＣを実行するために用意されている試し書き領域である。
【００３７】
装置制御部１７は、ステップＳ２で取得したＲＭＤ情報に基づき、装填された光ディスク１０がこの光ディスク装置（ドライブ）で初めて記録されるディスクであるかどうか判定し（ステップＳ３）、初めて記録されるディスクではなく一度でも記録されたことのあるディスクであると判定した時は、ＲＭＤ情報から記録に使われたドライブとライトストラテジの履歴を取得し、ＲＭＤ情報として保存されたライトストラテジを採用する（ステップＳ５）。
【００３８】
一方、ステップＳ３で装填された光ディスク１０がこの光ディスク装置（ドライブ）で初めて記録されるディスクであると判定されたときは、光ディスク１０がドライブに装着されてから最初の記録開始直前に記録ストラテジを決定する、後述するストラテジ学習処理を行う（ステップＳ４）。
【００３９】
ステップＳ４のストラテジ学習あるいはステップＳ５で採用したストラテジが決まれば、そのストラテジで公知の方法でＰＣＡ領域を用いてＯＰＣを実行して最適記録パワーを決定し、光ディスク１０のＲＭＡ領域にドライブ情報やストラテジ、記録パワーなどの記録条件をＲＭＤとして保存してから（ステップＳ６）、データ領域への記録が開始される（ステップＳ７）。
【００４０】
次に、ステップＳ４のストラテジ学習処理の各実施の形態について更に詳細に説明する。図４はストラテジ学習処理の第１の実施の形態のフローチャートを示す。図１のメモリ１８には各種の光ディスクに記録されている製造メーカーコード（ＭＩＤ）毎に最適なストラテジが予め登録されており、更に、未登録のディスクのためにデフォルトストラテジが予め記憶されている。また、このストラテジは各ディスク種類の各記録速度毎に分類されて（例えばＤＶＤ−Ｒ２倍速記録用のデフォルトストラテジなど）、メモリ１８に保存されている。
【００４１】
上記のストラテジ学習は、適正なストラテジを迅速に決定することを目的に、ここでは２種類のストラテジを比較して再生ジッタの良好な方を選択する場合について説明する。まず、この光ディスク装置で初めて記録される光ディスク１０に記録されている製造メーカーコードを読み出して、その製造メーカーコードに対応したストラテジデータがメモリ１８に登録済みであるかどうか判定し、登録済みである場合は登録ストラテジを使用し、未登録の場合はメモリ１８のデフォルトストラテジを使用してＯＰＣを実行して最適記録パワーを決定する（ステップＳ１１）。
【００４２】
ここで、上記のデフォルトストラテジは、例えば、新規光ディスク装置を市場に投入する前に、入手可能なすべての各メーカーの光ディスクのパワーマージンを予め細かく調べて、各メーカーに共通して概ね良好な記録が行えるものとして決定された万能の一つのストラテジデータである。
【００４３】
次に、装置制御部１７は、ＯＰＣで適正記録パワーを算出して、そのパワーよりもα％、たとえば５％低いパワーで試し書きして、ジッタ検出回路１６から得られる再生ジッタ検出値Ｊｄを記憶する（ステップＳ１２）。次に、光ディスク１０にＲＭＤ情報として記録されている標準ストラテジでＯＰＣを実行し、適正記録パワーを決定する（ステップＳ１３）。次に、装置制御部１７はステップＳ１３で求めた適正記録パワーよりもα％、たとえば５％低いパワーで試し書きして、ジッタ検出回路１６から得られる再生ジッタ検出値Ｊｆをメモリ１８に記憶する（ステップＳ１４）。
【００４４】
ここで、ステップＳ１２及びＳ１４において、ステップＳ１１及びＳ１３のＯＰＣで決定した適正記録パワーでなく、それよりもα％低いパワーの１回のみで試し書きする理由は、低いパワーから高いパワーまで細かく調べる時間と使用領域とをそれぞれ可能な限り少なくするためと、記録パワーマージンの広い方のストラテジを選択するためである。ディスクのトラック周方向の反りに対しては、光ディスク装置は補正できないのが通常で、その反りが大きいと実効記録パワーが低下する。また、ディスクに付着する塵や、光ピックアップのレンズに付着する塵などで実効記録パワーは低下する。
【００４５】
以上の試し書きを終えたら、再生ジッタ検出値ＪｄとＪｆを比較し（ステップＳ１５）、ジッタが良好な方のストラテジの採用を決定する（ステップＳ１６、Ｓ１７）。例えば、ジッタが良好な時に再生ジッタ検出値が低く取得されるとすれば、
Ｊｄ≧Ｊｆ
の場合は、標準ストラテジを採用し（ステップＳ１６）、
Ｊｄ＜Ｊｆ
の場合は、登録ストラテジ（未登録ディスクはデフォルトストラテジ）を採用する（ステップＳ１７）。
【００４６】
このように、本実施の形態によれば、光ディスク１０のストラテジが未登録の場合は、メモリ１８のデフォルトストラテジを使用してＯＰＣを実行して最適記録パワーを決定し、また、光ディスク１０に記録されている標準ストラテジを使用してＯＰＣを実行して最適記録パワーを決定し、それら決定した最適記録パワーよりα％低い記録パワーで試し書き記録再生して再生ジッタをそれぞれ検出して、それらのうち再生ジッタが低い方のストラテジを採用するようにしたため、ライトストラテジデータを登録していない光ディスクに対しても、適正な書き込み条件を短時間で得ることができる。
【００４７】
なお、ディスク種類がＤＶＤ−Ｒの場合は、記録ピークパワーをα％低いパワーに設定して試し書きを行い、ＤＶＤ−ＲＷの場合は、記録ピークパワー及び消去パワーの両方をα％低いパワーに設定して試し書きを行い、再生ジッタを比較してストラテジを決定する。
【００４８】
このようにして決定されたストラテジは、ストラテジ学習処理を行った光ディスクの所定領域（例えばＲＭＡ領域）に記録される（図３のステップＳ６）。従って、１度記録した光ディスクは、そのＭＩＤとストラテジを光ディスク装置内のメモリに保存しておくような、特許文献２記載の従来の光ディスク装置では、同じＭＩＤを持つ別の新たなブランクディスクに記録する場合には、そのＭＩＤで光ディスク装置内のメモリに保存済みのストラテジが採用されるので、ロットのバラツキや、同じＭＩＤでも従来と異なる特性の光ディスクが市場に出回る場合も多く、その場合には良好な記録ができなかったが、本実施の形態では、光ディスクの所定領域にストラテジを保存するので、同一ＭＩＤで異なる特性の光ディスクに対しても、光ディスク個々の特性に合わせた最適なストラテジでの記録が可能である。
【００４９】
次に、ストラテジ学習処理の第２の実施の形態について説明する。図５はストラテジ学習処理の第２の実施の形態のフローチャートを示す。図１のメモリ１８には各メーカーのディスク個々に対応した登録済みのストラテジデータの他に、未登録のディスクのためにデフォルトストラテジが予め記憶されている。また、このストラテジは各ディスク種類の各記録速度毎に分類されて（例えば、ＤＶＤ−Ｒの２倍速記録のデフォルトストラテジなど）、メモリ１８に保存されている。ストラテジ学習は、適正なストラテジを迅速に決定することを目的に、ここでは２種類のストラテジで各々２通りのパワーで記録して、再生ジッタを比較してストラテジを決定する。
【００５０】
図５において、まず、光ディスク１０用のストラテジデータがメモリ１８に登録済みの場合は登録ストラテジを使用し、未登録の場合はメモリ１８のデフォルトストラテジを使用してＯＰＣを実行して最適記録パワーを決定する（ステップＳ２１）。
【００５１】
次に、装置制御部１７は、ステップＳ２１のＯＰＣで求めた適正記録パワーで試し書きをした試し書き信号を再生し、この信号に基づいてジッタ検出回路１６により得られる再生ジッタ検出値Ｊｄｏをメモリ１８に記憶する（ステップＳ２２）。続いて、装置制御部１７は、光ディスク１０にＲＭＤ情報として記録されている標準ストラテジでＯＰＣを実行し、適正記録パワーを決定する（ステップＳ２３）。次に、装置制御部１７はステップＳ２３で求めた適正記録パワーで試し書きをした試し書き信号を再生し、この信号に基づいてジッタ検出回路１６により得られる再生ジッタ検出値Ｊｆｏをメモリ１８に記憶する（ステップＳ２４）。
【００５２】
以上の試し書きを終えたら、メモリ１８に記憶しておいた上記の再生ジッタ検出値Ｊｄｏ及びＪｆｏを比較し（ステップＳ２５）、ジッタが良好な方のストラテジの採用を決定する（ステップＳ２８、Ｓ２９）。例えば、ジッタが良好な時に再生ジッタ検出値が低く取得されるとすれば、
Ｊｄｏ≧Ｊｆｏ
の場合は、標準ストラテジを採用し（ステップＳ２８）、
Ｊｄｏ＜Ｊｆｏ
の場合は、登録ストラテジ（未登録ディスクはデフォルトストラテジ）を採用する（ステップＳ２９）。
【００５３】
以上の動作は、図４の第１の実施の形態とほぼ同様であるが、本実施の形態では、更にステップＳ２５での判定において、再生ジッタ検出値ＪｄｏとＪｆｏとの差が予め定めた値γ以内の僅差であると判定した時には、登録ストラテジ又はデフォルトストラテジでＯＰＣして算出した適正記録パワーよりもα％、例えば５％低いパワーで試し書き信号を記録した後再生して、そのときにジッタ検出回路１６から得られる再生ジッタ検出値Ｊｄをメモリ１８に記憶し、更に標準ストラテジでＯＰＣして算出した適正記録パワーよりもα％、例えば５％低いパワーで試し書き信号を記録した後再生して、そのときにジッタ検出回路１６から得られる再生ジッタ検出値Ｊｆをメモリ１８に記憶する（ステップＳ２６）。
【００５４】
続いて、装置制御部１７は、上記の再生ジッタ検出値Ｊｄ及びＪｆを比較し（ステップＳ２７）、標準ストラテジの再生ジッタ検出値Ｊｆの方が良好な場合、あるいは、両者の再生ジッタ検出値Ｊｄ及びＪｆの差がγ以内の僅差である場合には、標準ストラテジを採用する（ステップＳ２８）。一方、登録ストラテジ又はデフォルトストラテジの再生ジッタ検出値Ｊｄの方が標準ストラテジの再生ジッタ検出値Ｊｆより良好な場合には、登録ストラテジ又はデフォルトストラテジを採用する（ステップＳ２９）。
【００５５】
このように、本実施の形態によれば、図４の第１の実施の形態と同様の特長を有するが、それに加えて、登録ストラテジ又はデフォルトストラテジの再生ジッタ検出値Ｊｄと標準ストラテジの再生ジッタ検出値Ｊｆとが僅差の場合には、標準ストラテジを採用することで、より良好な精度でストラテジを決定できる。すなわち、図４の第１の実施の形態では、本実施の形態のような最適パワーでのジッタ比較をしないため、２種のストラテジでのジッタ差が僅差の時の所要時間が短縮される効果があるが、その反面、低めのパワーで若干ジッタが良く、最適パワーではジッタが悪くなる特性の光ディスクが存在するものとすると、この場合には、最適パワーでは他方のストラテジよりジッタが悪くなる方を選択することになる。
【００５６】
これに対し、本実施の形態によれば、最適パワーでのジッタ比較を行うと共に、それに基づいて最適なストラテジを決定し、更に２種の再生ジッタ検出値Ｊｄｏ及びＪｆｏと、ＪｄとＪｆがそれぞれ僅差のときには、標準ストラテジが、その光ディスクに最適な記録条件を示しているべきものであり、品質の良好なメーカーの光ディスクほど、標準ストラテジでの記録が良好な場合が多く、従って信用できるメーカーの光ディスクでは試し書きにより得たストラテジと標準ストラテジとが合致する場合が多いことに鑑み、標準ストラテジを採用することで、より精度のよいストラテジの決定ができる。
【００５７】
図６は２通りのストラテジ記録に対する再生ジッタ検出特性の一例を示す。同図において、曲線Iは標準ストラテジでＯＰＣして算出した記録パワーと再生ジッタとの特性を示し、曲線IIはデフォルトストラテジでＯＰＣして算出した記録パワーと再生ジッタとの特性を示し、横軸に記録パワーを、縦軸にジッタを示している。Ｐｆ、Ｐｆｏは標準ストラテジ特性Iにおける最適記録パワーを示し、Ｐｄ、Ｐｄｏはデフォルトストラテジ特性IIにおける最適記録パワーを示す。
【００５８】
同図に示すように、ストラテジが適正でない場合は、記録パワーマージンが狭くなり低いパワーで再生ジッタが劣化する傾向が強い。光ディスク装置でパワーマージンを詳細に測定するには所要時間とＯＰＣ領域の使用量が増大するため現実的ではない。従って、本実施の形態のように、できるだけ少ない回数の試し書きで、適正ストラテジを決定する事が望ましい。
【００５９】
なお、本発明は以上の実施の形態に限定されるものではなく、例えば、標準ストラテジを２種類又はそれ以上用意することも可能である（ただし、種類の数が多いほどＯＰＣの時間がかかるので、少ない方がよい。）。また、以上の実施の形態では、再生ジッタ検出値を比較してストラテジデータを決定するようにしているが、再生ジッタ検出値の替わりに、再生された試し書き信号のエッジシフト量（あるいは再生データエラーレート）を比較して、エッジシフト量（あるいは再生データエラーレート）の少ない方のストラテジデータを決定するようにしてもよい。
【００６０】
また、本発明は上記の図４又は図５のストラテジ学習処理を含む、図３のフローチャートで示す処理をコンピュータにより実現させるコンピュータプログラムも含むものである。この場合、コンピュータプログラムは、記録媒体からコンピュータに取り込まれてもよいし、通信ネットワークを介してコンピュータに取り込まれてもよい。
【図面の簡単な説明】
【００６１】
【図１】本発明の光ディスク装置の第１の実施の形態のブロック図である。
【図２】ジッタ検出方法の一例を説明するための信号波形図である。
【図３】ディスク挿入から記録開始までの処理動作の一実施の形態を示すフローチャートである。
【図４】図３中のストラテジ学習処理の第１の実施の形態を示すフローチャートである。
【図５】図３中のストラテジ学習処理の第２の実施の形態を示すフローチャートである。
【図６】２通りのストラテジ記録に対する再生ジッタ対記録パワー特性の一例を示す図である。
【符号の説明】
【００６２】
１０  光ディスク
１１  光ピックアップ
１２  アドレス信号検出回路
１３  再生信号検出回路
１４  サーボ用信号検出回路
１５  ＯＰＣ検出回路
１６  ジッタ検出回路
１７  装置制御部
１８  メモリ
１９  レーザ変調回路／パワー制御回路
２０  サーボ回路
２１  スレッド機構
【図１】
2006338724.tif 000003
【図２】
2006338724.tif 000004
【図３】
2006338724.tif 000005
【図４】
2006338724.tif 000006
【図５】
2006338724.tif 000007
【図６】
2006338724.tif 000008